(57)【要約】【課題】  同種の複数の検知情報に基づいて、電気機器の電源供給を制御することが出来ない。【解決手段】電力制御装置は、複数のセンサ、および、複数の電源タップと接続された電力制御装置であって、複数のセンサのうち同種の２つを含むセンサから検知情報とセンサ識別子を入力する受信手段と、入力した２つ以上の検知情報およびセンサ識別子に基づいて、複数の電源タップの何れかを選択して選択した電源タップに、電源タップが備えるプラグへの電源供給の有無を切り替える信号を出力する制御手段を備える。【選択図】      図１
2012075321.tif 000002
【特許請求の範囲】
【請求項１】
複数のセンサ、および、複数の電源タップと接続された電力制御装置であって、
前記複数のセンサのうち同種の２つを含むセンサから検知情報とセンサ識別子を入力する受信手段と、
入力した２つ以上の前記検知情報および前記センサ識別子に基づいて、前記複数の電源タップの何れかを選択して選択した前記電源タップに、前記電源タップが備えるプラグへの電源供給の有無を切り替える信号を出力する制御手段を備える、電力制御装置。
【請求項２】
前記受信手段が入力した２つ以上の検知情報およびセンサ識別子が満たすべき条件と、当該条件に於いて選択すべき電源タップを特定する動作指示を対応させたルールを格納するルール表をさらに備え、
前記制御手段は、入力した２つ以上の前記検知情報および前記センサ識別子に基づいて、前記ルール表から何れかの前記ルールを選択し、選択された前記ルールの前記動作指示に基づいて、前記複数の電源タップのいずれかを選択する、請求項１の電源制御装置。
【請求項３】
前記ルールの前記条件は、前記複数の電源タップの何れかの電源供給の有無状態を包含し、
前記制御手段は、入力した２つ以上の前記検知情報および前記センサ識別子、並びに、前記条件で指定される前記電源タップの電源供給の有無状態に基づいて、前記ルール表から前記ルールを選択する、請求項２の電源制御装置。
【請求項４】
前記条件は、第１の種類の複数のセンサおよび第２の種類の複数のセンサについての、組み合わせ条件を包含する、請求項２または３の電源制御装置。
【請求項５】
前記複数のセンサ、および、前記複数の電源タップとの接続は、無線通信で行われている請求項１乃至４の何れかの電力制御装置。
【請求項６】
前記複数のセンサ、および、前記複数の電源タップと、請求項１乃至５の何れかの電力制御装置を包含する電力制御システム。
【請求項７】
複数のセンサのうち同種の２つを含むセンサから検知情報とセンサ識別子を入力して、
入力した２つ以上の前記検知情報および前記センサ識別子に基づいて、前記複数の電源タップの何れかを選択して選択した前記電源タップに、前記電源タップが備えるプラグへの電源供給の有無を切り替える信号を出力する、電力制御方法。
【請求項８】
前記受信部が入力した２つ以上の検知情報およびセンサ識別子が満たすべき条件と、当該条件に於いて選択すべき電源タップを特定する動作指示を対応させたルールをルール表に記憶し、
入力した２つ以上の前記検知情報および前記センサ識別子に基づいて、前記ルール表から何れかの前記ルールを選択し、選択された前記ルールの前記動作指示に基づいて、前記複数の電源タップのいずれかを選択する、請求項７の電源制御方法。
【請求項９】
複数のセンサ、および、複数の電源タップと接続されたコンピュータに、
前記複数のセンサのうち同種の２つを含むセンサから検知情報とセンサ識別子を入力する受信処理と、
入力した２つ以上の前記検知情報および前記センサ識別子に基づいて、前記複数の電源タップの何れかを選択して選択した前記電源タップに、前記電源タップが備えるプラグへの電源供給の有無を切り替える信号を出力する制御処理を実行させる、電力制御プログラム。
【請求項１０】
前記コンピュータに、前記受信処理で入力した２つ以上の検知情報およびセンサ識別子が満たすべき条件と、当該条件に於いて選択すべき電源タップを特定する動作指示を対応させたルールをルール表に記憶する処理と、
入力した２つ以上の前記検知情報および前記センサ識別子に基づいて、前記ルール表から前記ルールの何れかを選択し、選択された前記ルールの前記動作指示に基づいて、前記複数の電源タップのいずれかを選択する前記制御処理を実行させる、請求項９の電源制御プログラム。
【発明の詳細な説明】
【技術分野】
【０００１】
本発明は、電力制御装置、電力制御システム、電力制御プログラム、および、電力制御方法に関する。
【背景技術】
【０００２】
特許文献１には、一つの人感センサからの出力に基づいて、電気機器の制御信号を出力する制御装置が記載されている。
【０００３】
特許文献２には、複数種のセンサから入力したセンサ情報から電気機器の使用状況を検知して記憶することが記載されている。また、同文献には、所定の電力量のパターンに基づいて各電気機器のＯＮ／ＯＦＦ制御などを行うことも記載されている。
【０００４】
特許文献３には、一つの赤外線センサの信号の変化によって、電気器具への電源を制御することが記載されている。
【０００５】
特許文献４には、接続された家電機器の消費電力量を計測して、表示装置に送信する電力計測制御装置が記載されている。
【先行技術文献】
【特許文献】
【０００６】
【特許文献１】特開２００４−３０９０５１号公報
【特許文献２】特開２００１−５４１７６号公報
【特許文献３】実開昭６４−３３６８３号公報
【特許文献４】特開２００３−８８００４号公報
【特許文献５】特開２００７−０２０３１０号公報
【特許文献６】特開２００７−１８９７９４号公報
【発明の概要】
【発明が解決しようとする課題】
【０００７】
上述した特許文献の技術は、いずれも、複数のセンサから同種の検知情報を入力しない。従って、同種の複数の検知情報に基づいて、電気機器の電源供給を制御することが出来ないという問題があった。
【０００８】
本発明は、上述の課題を解決するための、電力制御装置、電力制御システム、電力制御プログラム、および、電力制御方法を提供することである。
【課題を解決するための手段】
【０００９】
本発明の電力制御装置は、複数のセンサ、および、複数の電源タップと接続された電力制御装置であって、前記複数のセンサのうち同種の２つを含むセンサから検知情報とセンサ識別子を入力する受信手段と、入力した２つ以上の前記検知情報および前記センサ識別子に基づいて、前記複数の電源タップの何れかを選択して選択した前記電源タップに、前記電源タップが備えるプラグへの電源供給の有無を切り替える信号を出力する制御手段を備える。
【００１０】
本発明の電力制御プログラムは、複数のセンサ、および、複数の電源タップと接続されたコンピュータに、前記複数のセンサのうち同種の２つを含むセンサから検知情報とセンサ識別子を入力する受信処理と、入力した２つ以上の前記検知情報および前記センサ識別子に基づいて、前記複数の電源タップの何れかを選択して選択した前記電源タップに、前記電源タップが備えるプラグへの電源供給の有無を切り替える信号を出力する制御処理を実行させる。
【００１１】
本発明の電力制御方法は、複数のセンサのうち同種の２つを含むセンサから検知情報とセンサ識別子を入力して、入力した２つ以上の前記検知情報および前記センサ識別子に基づいて、前記複数の電源タップの何れかを選択して選択した前記電源タップに、前記電源タップが備えるプラグへの電源供給の有無を切り替える信号を出力する。
【発明の効果】
【００１２】
本発明は、同種の複数の検知情報に基づいて、電気機器の電源供給を制御することを可能とする。
【図面の簡単な説明】
【００１３】
【図１】図１は、第１の実施形態にかかる電力制御システム１０の全体構成を示す。
【図２】図２は、蓄積表４０の構成を示す。
【図３】図３は、制御部３３のフローチャート例である。
【図４】図４は、第２の実施形態にかかる電力制御システム１０の全体構成を示す。
【図５】図５は、ルール表７０の構成を示す。
【図６】図６は、第２の実施形態の制御部３３のフローチャート例である。
【図７】図７は、電力制御装置３０の基本的な構成を示す。
【発明を実施するための形態】
【００１４】
図１は、第１の実施形態にかかる電力制御システム１０の全体構成を示す。本実施形態の電力制御システム１０は、電力制御装置３０、複数のセンサ２０、電力供給源１２（電源）、電気機器１１を備える。電力制御装置３０は、複数のセンサ２０が出力する検知情報９０に基づいて、電気機器１１の電源供給の有／無（電源のＯＮ／ＯＦＦ）を制御する。電力制御システム１０は、適切な電源供給を制御することにより、省エネなどを実現するものである。
【００１５】
複数のセンサ２０は、例えば、住居内の複数の箇所に設置されて、設置箇所近傍の温度、湿度、照度、または、人の在／不在を検知して、検知情報９０を電力制御装置３０に無線通信で送信する。例えば、第１のセンサ２１はリビングルームに、第２のセンサ２２は寝室に設置されて、各々、人の在／不在を検知して、第１の検知情報９１、第２の検知情報９２を電力制御装置３０に送信する。また、第３のセンサ２３はリビングルームに、第４のセンサ２４は戸外に設置されて、各々、温度を検知して、第３の検知情報９３、第４の検知情報９４を電力制御装置３０に送信する。
【００１６】
ここで、同種の測定値を報告する検知情報９０は同種類の検知情報９０である。例えば、第１の検知情報９１、第２の検知情報９２は、ともに人の在／不在を報告するものであり、同種類の検知情報９０である。第３の検知情報９３、第４の検知情報９４は、ともに温度を報告するものであり、同種類の検知情報９０である。第１の検知情報９１、または、第２の検知情報９２と、第３の検知情報９３、または、第４の検知情報９４とは異種類の検知情報９０である。
【００１７】
なお、同種の検知情報９０を送信するセンサ２０は、同種類のセンサ２０とは限定されない。例えば、一つのセンサ２０が第１の検知情報９１と第３の検知情報９３の異なる種類の検知情報９０の両者を送信しても良い。
【００１８】
各センサ２０は、人の在／不在や温度などを検知して、検知情報９０を送信するセンシング部２６と、センサ２０の一意な識別子であるセンサＩＤ２５の格納域を備える。センサＩＤ２５は、人の在／不在や温度などの情報と共に検知情報９０に付加されて送信される。
【００１９】
電力制御装置３０は、例えば電力供給源１２（電源）から供給される電気を、電気機器１１に供給するか否かを切りかえる。電気機器１１は、例えば、リビングルームなどに設置されたエアコン、ヒータである。
【００２０】
電力制御装置３０は、受信部３１、表示部３２、制御部３３、時計３４、スイッチ３５、測定部３６、プラグ３７、蓄積表４０、電源状態格納域５０を包含する。
【００２１】
受信部３１は、センサ２０から送信される検知情報９０及びセンサＩＤ２５を無線で受信して、制御部３３に出力する。プラグ３７は、電気機器１１の接続口であり、例えば、電源コンセントである。測定部３６は、通過する電気の電力（現在値及び累積値）を測定する。測定部３６は、例えば電力計である。
【００２２】
スイッチ３５は、制御部３３から入力した電源供給の有無切りかえ信号に従って、電力供給源１２と測定部３６、プラグ３７、電気機器１１との間の接続のＯＮ／ＯＦＦを切りかえる。電源供給の有無切りかえ信号は、ＯＮからＯＦＦへの切りかえを指示する場合と、ＯＦＦからＯＮへの切りかえを指示する場合がある。
【００２３】
制御部３３は、受信部３１から複数の同種類、異種類の検知情報９０を入力して、当該データに基づいて、電源供給の有無切りかえ信号をスイッチ３５に出力する。
【００２４】
制御部３３や受信部３１は、コンピュータ１９である電力制御装置３０のプロセッサーが図示しない主記憶装置に格納されている電力制御プログラム３９を読み込んで、図示しない通信制御装置などを利用して、実行することで機能する。ハードウェアが、同等な機能を実現していてもよい。
【００２５】
蓄積表４０、電源状態格納域５０は、図示しない主記憶装置やディスク装置などに設置されたデータの格納域である。蓄積表４０は、当初、データを格納していない。電力制御システム１０の運転中に、制御部３３が、蓄積表４０にデータを蓄えて表示部３２に表示する。電源状態格納域５０は、電源供給の有無を区別する情報を格納する。その初期値は、スイッチ３５の初期状態に合わせて設定されている。
【００２６】
図２は、蓄積表４０の構成を示す。蓄積表４０は、日時４５、検知情報９０、切りかえ情報４６、電力値４７、電力量４８を包含する。検知情報９０は、全てのセンサ２０の検知情報９０を包含する。蓄積表４０には、例えばスイッチ３５の切りかえが発生するたびにデータが格納される。切りかえ情報４６は、スイッチ３５の切りかえ方向（ＯＮからＯＦＦへの切りかえ、または、ＯＦＦからＯＮへの切りかえ）の区別情報が格納される。
【００２７】
図３は制御部３３のフローチャート例である。制御部３３は、例えば、定期的に、または、検知情報９０に変化が有ったときに本処理を行う。
【００２８】
制御部３３は、受信部３１から検知情報９０及びセンサＩＤ２５を入力して、センサＩＤ２５に基づいて第１の検知情報９１と第２の検知情報９２を選択して取得する（Ｓ１１）。即ち、同部は、第１のセンサ２１のセンサＩＤ２５が付加されている検知情報９０を、第１の検知情報９１として選択する。同部は、第２のセンサ２２のセンサＩＤ２５が付加されている検知情報９０を、第２の検知情報９２として選択する。
【００２９】
両検知情報９０が共に「人の不在」を示している場合（Ｓ１２でＹ）、同部は、住居は留守であると判断する。
【００３０】
制御部３３は、留守であって、電源状態格納域５０が電源供給有りを示している（Ｓ１３でＹ）と、電源供給を無くす。電源状態格納域５０が電源供給無しを示している（Ｓ１３でＮ）と、同部は何もしないで処理を終了する。
【００３１】
電源供給を無くす際、同部は、蓄積表４０にデータを格納する（Ｓ１４）。具体的には同部は、時計３４を読み込んで日時４５に格納する。更に同部は、ＯＮからＯＦＦへの切りかえである旨を切りかえ情報４６に格納する。また、同部は、受信部３１から入力した各検知情報９０と、測定部３６から入力した電力値４７、電力量４８を蓄積表４０に格納する。
【００３２】
制御部３３は、スイッチ３５に、電源供給を無しにする切りかえ信号を出力して、電源供給を停止（ＯＦＦに）する。同時に、同部は、電源状態格納域５０に電源供給無し（ＯＦＦ）を示す情報を格納する（Ｓ１５）。
【００３３】
最後に、制御部３３は、蓄積表４０のデータを読み込んで、時系列データとして表示部３２に表示する（Ｓ１６）。同部は、蓄積表４０のデータを全て表示しても良いし、日時４５、検知情報９０等を基準に、選択して表示しても良い。
【００３４】
両検知情報９０のいずれかが「人の存在」を示している場合（Ｓ１２でＮ）、制御部３３は、住居に人がいる、即ち在宅であると判断する。
【００３５】
制御部３３は、在宅であって、電源状態格納域５０が電源供給無しを示している（Ｓ１７でＹ）と、電源供給を有りにするかを判断する。電源状態格納域５０が電源供給有りを示している（Ｓ１７でＮ）と、同部は何もしないで処理を終了する。
【００３６】
電源供給を有りにするかを判断する際、同部は、受信部３１から検知情報９０及びセンサＩＤ２５を入力して、センサＩＤ２５に基づいて第３の検知情報９３と第４の検知情報９４を選択して取得する（Ｓ１８）。そして、同部は、両検知情報９０の温度差を計算する（Ｓ１９）。
【００３７】
当該温度差が一定値以上である（Ｓ１ＡでＹ）場合、同部は、電源供給を有りにする。例えば、リビングルームと戸外の温度差が一定以上である場合に、エアコンを動作させる場合がこれに該当する。当該温度差が一定値以上ない（Ｓ１ＡでＮ）場合、同部は何もしないで処理を終了する。
【００３８】
電源供給を有りにする際、同部は、蓄積表４０にデータを格納する（Ｓ１Ｂ）。具体的には同部は、時計３４を読み込んで日時４５に格納する。更に同部は、ＯＦＦからＯＮへの切りかえである旨を切りかえ情報４６に格納する。また、同部は、受信部３１から入力した各検知情報９０を蓄積表４０に格納する。同部は、電力値４７、電力量４８にはＮｕｌｌを設定する。
【００３９】
制御部３３は、スイッチ３５に、電源供給を有りにする為の切りかえ信号を出力して、電源供給を開始（ＯＮに）する。同時に、同部は、電源状態格納域５０に電源供給有り（ＯＮ）を示す情報を格納する（Ｓ１Ｃ）。
【００４０】
その後、制御部３３は、蓄積表４０のデータを読み込んで、表示部３２に表示して（Ｓ１６）、処理を終了する。
【００４１】
本実施形態の電力制御システム１０は、複数箇所の同種の検知情報９０に基づいて、電気機器１１の電源供給を制御することを可能とする。制御部３３が、複数のセンサ２０から同種類の検知情報９０を入力して、それらに基づいて電力の供給の有無を切りかえるからである。
【００４２】
更に、制御目的に応じて、当該複数のセンサ２０を最適な場所に配置することが可能である。複数のセンサ２０と電力制御装置３０が無線で検知情報９０を通信する為、配線による設置場所の制約が少ないからである。
【００４３】
更に、本実施形態の電力制御システム１０は、使用者に消費電力を通知して、省エネの意識を向上させることが出来る。電力制御装置３０が、蓄積表４０のデータを表示部３２に表示するからである。
【００４４】
なお、センサ２０の設置場所の問題がなければ、センサ２０と電力制御装置３０との通信をＬＡＮ（Local Area Network）等の有線通信経由で行っても良い。
【００４５】
さらに、電力制御装置３０が、消費電力を通知することをやめても良い。この場合、電力制御装置３０を低コストで、小型化して構成することが可能となる。電力制御装置３０は、表示部３２、測定部３６、蓄積表４０を備える必要がないからである。
【００４６】
なお、複数のセンサ２０の検知情報９０の利用法は上記に限られない。例えば、制御部３３は、人の在／不在を検知情報９０の多数決で決定しても良い。例えば、リビングルームに５〜６個のセンサ２０を適宜離して設置することで、制御部３３は、正確な人の在／不在を判定できる。
【００４７】
本実施形態において、電力制御装置３０の形状をいわゆる電源タップの形状に構成しても良い。このように構成することで電源制御装置３０が使いやすくなる。電源タップに代えて電源制御装置３０を設置できるようになり、省エネなどを目的として、わざわざ専用の電源制御装置３０を設置する必要がなくなるからである。
【００４８】
図４は、第２の実施形態にかかる電力制御システム１０の全体構成を示す。特に言及しない限り、本実施形態の電力制御システム１０は、第１の実施形態と同じである。
【００４９】
本実施形態では、スイッチ３５、測定部３６、プラグ３７は、電力制御装置３０から取り出されて、電力制御装置３０とは別の電源タップ８０内に存在する。本実施形態では、電源タップ８０は複数台存在しても良い。各電源タップ８０は、各々一意の識別子であるタップＩＤ８２を有する。
【００５０】
本実施形態の電力制御装置３０は、第１の実施形態の電力制御装置３０に比べて、スイッチ３５、測定部３６、プラグ３７を備えていない。本実施形態の電力制御装置３０は、第１の実施形態の電力制御装置３０に比べて、通信部３８とルール表７０を追加的に備える。さらに、本実施形態の電力制御装置３０は、蓄積表４０と電源状態格納域５０を、各電源タップ８０（即ち、タップＩＤ８２）対応に備えている。本実施形態の電力制御装置３０は、端末１３と接続されていても良い。
【００５１】
本実施形態に於いて、制御部３３は、受信部３１から入力した複数の同種類、異種類の検知情報９０とルール表７０に基づいて、電源供給の有無切りかえ信号と制御対象に選択したタップＩＤ８２を、通信部３８に出力する。通信部３８は、制御部３３の出力を、電源タップ８０に向けて無線で送信する。
【００５２】
また、制御部３３は、通信部３８から測定部３６の出力値（電力値４７、電力量４８）を入力する。この値は、通信部３８が電源タップ８０から無線で受信したものである。
【００５３】
電源タップ８０は、スイッチ３５、測定部３６、プラグ３７に加えて、管理部８１を包含する。管理部８１はタップＩＤ８２を記憶する。
【００５４】
管理部８１は、電力制御装置３０の通信部３８から信号を受信する。管理部８１は、受信した信号のタップＩＤ８２が自身のものと一致するときに、受信した信号の電源供給の有無切りかえ信号をスイッチ３５に出力する。また、管理部８１は、測定部３６の出力値（電力値４７、電力量４８）に、タップＩＤ８２を付加して、電力制御装置３０の通信部３８に無線で送信する。
【００５５】
図５はルール表７０の構成を示す。ルール表７０は図示しない主記憶装置またはディスク装置上に設置されたデータベースである。ルール表７０は、ルールＩＤ７１、条件７２、動作指示７３を包含する。ルールＩＤ７１は、例えば１から始まる連番である。
【００５６】
条件７２と動作指示７３の組み合わせ（ルール）は、例えば以下のものである。
【００５７】
１）第１の検知情報９１および第２の検知情報９２が人の存在検知、かつ、タップＩＤ８２＝１の電源タップ８０に対応する電源状態格納域５０が電源供給無しを示し、かつ、第３の検知情報９３および第４の検知情報９４が示す温度差が所定値以上であれば、タップＩＤ８２＝１の電源タップ８０を電源供給有りにせよ。
【００５８】
２）第１の検知情報９１または第２の検知情報９２が不在、かつ、タップＩＤ８２＝１の電源タップ８０に対応する電源状態格納域５０が電源供給有りを示すとき、タップＩＤ８２＝１の電源タップ８０を電源供給無しにせよ。
【００５９】
条件７２は、単一の検知情報９０のみ、または、同種類または異種類の任意の組み合わせで複数の検知情報９０を含んでも良い。動作指示７３は、複数の電源タップ８０を含んでいても良い。
【００６０】
図６は、第２の実施形態の制御部３３のフローチャート例である。
【００６１】
制御部３３は、受信部３１から検知情報９０及びセンサＩＤ２５を入力した（Ｓ２１）後、制御変数ｎに１を設定する（Ｓ２２）。
【００６２】
ルールＩＤ７１＝ｎの条件７２が成立すると（Ｓ２３でＹ）、制御部３３は対応する動作指示７３を取得する（Ｓ２４）。
【００６３】
動作指示７３が電源供給を無くすものであれば（Ｓ２４でＯＦＦ）、制御部３３は、動作指示７３から、電源タップ８０の選択情報としてタップＩＤ８２を取り出す（Ｓ２５）。そして、同部は、当該タップＩＤ８２対応の蓄積表４０にデータを格納する（Ｓ２６）。
【００６４】
具体的には同部は、時計３４を読み込んで日時４５に格納し、ＯＮからＯＦＦへの切りかえである旨を切りかえ情報４６に格納する。また、同部は、受信部３１から入力した各検知情報９０を蓄積表４０に格納する。更に、同部は、通信部３８から入力した各電力値４７及び電力量４８から、選択情報として取り出したタップＩＤ８２と一致するタップＩＤ８２が付加された電力値４７、電力量４８を取り出して蓄積表４０に格納する。さらに同部は、ルールＩＤ７１を蓄積表４０に格納しても良い。
【００６５】
制御部３３は、通信部３８に、タップＩＤ８２と電源供給を無しにする切りかえ信号を出力して、電源供給を停止する。同時に、制御部３３は、タップＩＤ８２対応の電源状態格納域５０に電源供給無しを示す情報を格納する（Ｓ２７）。
【００６６】
動作指示７３が複数のタップＩＤ８２を含んでいる場合、制御部３３は、全ての電源タップ８０に対する処理が終了する（Ｓ２８でＹ）までＳ２４からの処理を繰り返す。
【００６７】
動作指示７３が電源供給を有りにするものであれば（Ｓ２４でＯＮ）、制御部３３は、動作指示７３から、電源タップ８０の選択情報としてタップＩＤ８２を取り出す（Ｓ２９）。そして、同部は、当該タップＩＤ８２対応の蓄積表４０にデータを格納する（Ｓ２Ａ）。
【００６８】
具体的には同部は、時計３４を読み込んで日時４５に格納する。更に同部は、ＯＦＦからＯＮへの切りかえである旨を切りかえ情報４６に格納する。また、同部は、受信部３１から入力した各検知情報９０を蓄積表４０に格納する。同部は、電力値４７、電力量４８にはＮｕｌｌを設定する。さらに同部は、ルールＩＤ７１を蓄積表４０に格納しても良い。
【００６９】
制御部３３は、通信部３８に、タップＩＤ８２と電源供給を有りにする為の切りかえ信号を出力して、電源供給を開始する。同時に、制御部３３は、タップＩＤ８２対応の電源状態格納域５０に電源供給有りを示す情報を格納する（Ｓ２Ｂ）。
【００７０】
動作指示７３が複数のタップＩＤ８２を含んでいる場合、制御部３３は、全ての電源タップ８０に対する処理が終了する（Ｓ２８でＹ）までＳ２４からの処理を繰り返す。全ての電源タップ８０に対する処理終了時（Ｓ２８でＹ）、同部は、蓄積表４０のデータを読み込んで、時系列データとして表示部３２に表示して（Ｓ２Ｅ）、処理を終了する。
【００７１】
動作指示７３が次ルールを評価するものであれば（Ｓ２４で次ルール）、制御部３３は、制御変数ｎの値を１加算して（Ｓ２Ｄ）、条件７２の評価（Ｓ２３）に戻る。
【００７２】
ルールＩＤ７１＝ｎの条件７２が成立しないとき（Ｓ２３でＮ）、全ルールの評価が完了したかを判断して、完了していれば（Ｓ２ＣでＹ）処理を終了し、完了していなければ（Ｓ２ＣでＮ）次のルールの条件７２の評価（Ｓ２Ｄ、Ｓ２３）を行う。
【００７３】
なお、制御部３３は、端末１３からルール表７０の編集指示を入力した場合、ルール表７０の内容を端末１３に送信して表示し、変分情報を端末１３から入力し、それに基づいてルール表７０を更新しても良い。
【００７４】
本実施形態の電力制御システム１０は、多数の電気機器１１を低コストで制御できる。一台の電力制御装置３０が、複数の電源タップ８０を個別に制御するからである。また、本実施形態の電力制御システム１０は、多数の電気機器１１を柔軟に制御できる。電力制御装置３０が、ルール表７０に基づいて、各電源タップ８０を個別に制御するからである。本実施形態の電力制御システム１０は、環境の変化に適応した制御が出来る。管理者が、端末１３から適宜ルール表７０の内容を編集可能だからである。また、管理者が、センサ２０を追加して、それに伴うルールをルール表７０に追加できるからである。
【００７５】
第３の実施形態にかかる電力制御システム１０では、ルール表７０にルール毎の適用時間を追加する。適用時間は、当該ルールの適用される時間範囲（例えば、９：００から１７：００、等）を格納する。本実施形態の制御部３３は、時計３４が示す現時刻が、当該ルールの適用時間の範囲内である場合のみ、条件７２の成立を判断する（図６のＳ２３）。範囲外の時は、条件７２の成立判断はせず、条件７２は不成立である（図６のＳ２３でＮ）とする。
【００７６】
本実施形態の電力制御システム１０は、時間に依存して柔軟な制御が可能となる。制御部３３が、時刻によって適用ルールを変更するからである。なお、ルール表７０は、適用時間加えて、他のスケジュール指定（曜日、日付など）を包含しても良い。
【００７７】
図７は、電力制御装置３０の基本的な構成を示す。同図によれば、電力制御装置３０は、第１のセンサ２１から第１の検知情報９１を、第２のセンサ２２から第１の検知情報９１と同種類の第２の検知情報９２を入力する受信部３１を備える。また、電力制御装置３０は、第１の検知情報９１と第２の検知情報９２の両者に基づいて、電気機器１１への電源供給の有無切りかえ信号をスイッチ３５に出力する制御部３３を備える。
【符号の説明】
【００７８】
１０    電力制御システム
１１    電気機器
１２    電力供給源
１３    端末
１９    コンピュータ
２０    センサ
２１    第１のセンサ
２２    第２のセンサ
２３    第３のセンサ
２４    第４のセンサ
２５    センサＩＤ
２６    センシング部
３０    電力制御装置
３１    受信部
３２    表示部
３３    制御部
３４    時計
３５    スイッチ
３６    測定部
３７    プラグ
３８    通信部
３９    電力制御プログラム
４０    蓄積表
４５    日時
４６    切りかえ情報
４７    電力値
４８    電力量
５０    電源状態格納域
７０    ルール表
７１    ルールＩＤ
７２    条件
７３    動作指示
８０    電源タップ
８１    管理部
８２    タップＩＤ
９０    検知情報
９１    第１の検知情報
９２    第２の検知情報
９３    第３の検知情報
９４    第４の検知情報
【図１】
2012075321.tif 000003
【図２】
2012075321.tif 000004
【図３】
2012075321.tif 000005
【図４】
2012075321.tif 000006
【図５】
2012075321.tif 000007
【図６】
2012075321.tif 000008
【図７】
2012075321.tif 000009